(57)【要約】      （修正有）【課題】ベッドセット用のスマートな調整管理システムを提供する。【解決手段】ユーザが眠っているとき、ベッドセット１０は、予め設定された複数の調整パラメータに従って個々のブロック１３を調整することができる。睡眠検出モジュール３０を使用して対応する睡眠パラメータ３１を検出した後、分析ユニット４０は最適睡眠パラメータおよび対応する調整パラメータを分析する。ユーザ専属の調整パラメータをスクリーニングするために、ベッドセットを最も快適な状態に迅速に調整することができる。実装されると、クラウドのビッグデータで示す傾向に合わせて、ベッドセット業者のオペレータは、ユーザ専属の調整パラメータに従ってリ遠隔でデータ管理または統計を実行することができる。これにより、将来的には異なるユーザの調整ニーズをより正確かつ迅速に満たすことができる。これらの情報は、ユーザが個人的な睡眠の健康管理のためにダウンロードまたは使用するためにも利用可能である。【選択図】図１
0003218551.tif 000002
【実用新案登録請求の範囲】
【請求項１】
一種のベッドセット用スマート調整管理システムであり、ベッドセットと、睡眠検出モジュールとを含み、前記ベッドセットは、複数の支持ブロックに分割され、前記各支持ブロックの柔軟性をそれぞれ調整するための内部コントローラが設けられ、前記内部コントローラは、前記各支持ブロックの異なる柔らかさと硬さの組み合わせに従って複数の異なる調整パラメータで予め設定され、
前記睡眠検出モジュールは、前記ベッドセットの異なる調整パラメータでユーザの睡眠状態を検出し、分析ユニットに睡眠パラメータをそれぞれ出力することができ、前記分析ユニット信号は、前記睡眠検出モジュールの異なる睡眠パラメータを取得するために前記睡眠検出モジュールおよび前記内部コントローラに接続され、次に、最適な睡眠パラメータおよび対応する調整パラメータを見つけ、ユーザ専属の調整パラメータを形成し、それらを識別管理ユニットに格納し、前記ベッドセットの内部コントローラは、前記識別管理ユニットによって記憶されたユーザ専属の調整パラメータに従って前記各支持ブロックの柔軟性を調節することができることを特徴とする、ベッドセット用スマート調整管理システム。
【請求項２】
前記スマート調整管理システムは、筋肉/圧力検出装置をさらに備え、前記筋肉/圧力検出装置は、前記ベッドセットの複数支持ブロックに対して複数検出ブロックを備え、少なくとも２組の使用者に対して検出することができ、前記ベッドセットの内部コントローラに対して、少なくとも２組の調整パラメータに従って各支持ブロックの柔軟性を調整することを特徴とする、請求項１に記載のベッドセット用スマート調整管理システム。
【請求項３】
前記ベッドセットの各支持ブロックには少なくとも１つのエアバッグが配置されており、前記各エアバッグは内部コントローラの制御を受け得る換気装置に接続されており、内部コントローラは前記各エアバッグの飽和を制御して各支持ブロックの柔軟性を調整することができることを特徴とする、請求項１に記載のベッドセット用スマート調整管理システム。
【請求項４】
前記分析ユニットは外部コントローラ上に構築され、前記外部コントローラは前記睡眠検出モジュールおよび前記内部コントローラに接続され、前記ベッドセットの内部コントローラは前記外部コントローラの有線または無線信号コマンドを受信し、その後、前記ベッドセットの内部コントローラは、各支持ブロックの柔軟性を調整することを特徴とする、請求項１乃至請求項３のいずれに記載のベッドセット用スマート調整管理システム。
【請求項５】
前記外部コントローラは、ネットワークインターフェースを有し、前記分析ユニットによって分析されたユーザ専属の調整パラメータをクラウドサービスプラットフォームのワイヤ制御デバイス、リモートコントローラ、またはモバイルデバイスにアップロードすることができることを特徴とする、請求項４に記載のベッドセット用スマート調整管理システム。
【請求項６】
前記睡眠検出モジュールと前記分析ユニットは同時に外部コントローラ上に構築され、前記ベッドセットの内部コントローラは前記外部コントローラの有線または無線信号コマンドを受信し、ベッドセットの内部コントローラは各支持ブロックの柔軟性を調整することを特徴とする、請求項１乃至請求項３のいずれに記載のベッドセット用スマート調整管理システム。
【請求項７】
前記外部コントローラは、ネットワークインターフェースを有し、前記分析ユニットによって分析されたユーザ専属の調整パラメータをクラウドサービスプラットフォームのワイヤ制御デバイス、リモートコントローラ、またはモバイルデバイスにアップロードすることができることを特徴とする、請求項６に記載のベッドセット用スマート調整管理システム。
【請求項８】
前記分析ユニットと睡眠検出モジュールは、前記内部コントローラに組み合わせ構築されていることを請求項１乃至請求項３のいずれに記載のベッドセット用スマート調整管理システム。
【請求項９】
前記内部コントローラは、ネットワークインターフェースを有し、前記分析ユニットによって分析されたユーザ専属の調整パラメータをクラウドサービスプラットフォームにアップロードすることができることを特徴とする、請求項８に記載のベッドセット用スマート調整管理システム。
【請求項１０】
前記システムは、内部コントローラおよび睡眠検出モジュールに接続されたネットワークコントローラをさらに含み、前記分析ユニットはクラウドサービスプラットフォーム上に構築され、前記内部コントローラの調整パラメータおよび睡眠検出モジュールの睡眠パラメータが検出され、前記ネットワークコントローラを介してクラウドサービスプラットフォームにアップロードすることができ、前記クラウドサービスプラットフォームの分析ユニットはユーザ専属の調整パラメータを分析してネットワークコントローラを介して調整のためにベッドセットの内部コントローラに戻すことを特徴とする、請求項１乃至請求項３のいずれに記載のベッドセット用スマート調整管理システム。
【考案の詳細な説明】
【技術分野】
【０００１】
本考案は、ベッドセットのためのスマート調整管理システムであり、技術内容は、区画ブロックの柔軟性を調節するベッドセットと、睡眠状態検出分析に係わる。ユーザが専属調整パラメータを取得できるように設計され、すべての同じ仕様のベッドセットは、睡眠管理を実現するためにユーザのベッドの柔らかさに合わせて調整することができる。
【背景技術】
【０００２】
一般的なベッドセットによれば、人体が横たわって寝るための支持面は、弾性を有する単一の軟質材料からなる。しかし、人体の曲線、身長、体重の違いにより、各部の重心（重さ）が異なる。したがって、ユーザがベッド表面上で寝るとき、単一材質のベッド表面は、身体の様々な部位に異なる支持力をフィードバックする。身体に異なる支持力をフィードバックするこのような状況は、しばしば、睡眠中に無意識に転がして睡眠姿勢を調節し、体の筋肉を完全に緩めることができない。
【０００３】
このような問題を解決するために、独立したシリンダマットレス、メモリ睡眠またはラテックスマットレスなどの目的は、不均一な支持力の問題を解決することである。その中で、人体の様々な部位の曲線に応じたベッド表面上の異なる柔らかさと硬度の設計もまた、ベッド表面を均一に支持するための効果的な解決策の1つである。
【０００４】
現在、ベッド表面の様々な部分は、異なる柔らかさまたは高いおよび低い形状を有するように設計されており、それらの大部分は、より早く医療用途で現れたエアベッド構造に使用されるのである。それはリモコンを使用してベッド表面の複数エアバッグの膨張または排気を手動で制御し、各エアバッグが飽和を個別に調整できるようにする。このように、ユーザがベッド表面に横たわっているときには、各エアバッグの飽和度の違いによって異なる柔らかさが生じる。
【０００５】
しかし、実際には、ユーザが目を覚ましているときにベッドに横たわって感受させてから徐々に調整する必要があり、この過程で、筋肉は、ユーザの身体機能の自然な反応のために完全に緩和されないことがある。したがって、ユーザが最も快適だと思う程度に調節されていても、実際に目標を達成できるかどうかを知るためには、睡眠の状況を実際に観察する必要がある。また、ユーザが最も快適であると考えられる状態に家庭用ベッドセットを調整しても、出張や旅行中にホテル内のベッドセットの柔らかさには適さないため、十分な休息を得ることができないことが多い。
【０００６】
実際、睡眠中の深い睡眠期間は十分な休息を取る時期であることを指摘する多くの文献および研究があり、深い睡眠期間が長いほど、疲労回復が良好である。人々が睡眠中の深い睡眠期間に入るかどうかは、脳波、呼吸、心拍、および血圧変化などの生理学的状態を睡眠検出装置によって検出することもできる。
【０００７】
したがって、本考案者はベッドセットの柔軟性を調整する際に睡眠検出装置を用いて睡眠状態を検出できれば、より適切な調整方法をより効率的に見つけることができると考えている。ベッドセットを最適な状態に調整できるだけでなく、同じ仕様のすべてのベッドセットにパラメータを適用して、各ユーザがそれぞれのパラメータで素早く調整できるようにする。
【考案の概要】
【考案が解決しようとする課題】
【０００８】
本考案の目的は、事前に特定のユーザに適合させることができる複数の調整パラメータのセットを選択することを目的とするベッドセット用のスマート調整管理システムを提供することである。ベッドセットを別々に調整した後、異なる調整パラメータに対応する睡眠パラメータを検出する。分析ユニットは、ユーザ専用の最適調整パラメータを分析し、ベッドセットを調整する。ベッドセットは、異なるユーザのために最も適切な状態に調整され、遠端または近端のユーザまたはベッドセット業者によって使用され、調節される。
【０００９】
加えて、異なるユーザに専属の最適な調整パラメータを見つけた後、クラウドのビッグデータが示す傾向に合わせて、ベッドセット業者が遠隔でデータ管理または統計を実行することができる。これにより、将来的には異なるユーザの調整ニーズをより正確かつ迅速に満たすことができる。
【００１０】
このデータ情報は、ユーザが個人的な睡眠の健康管理のためにダウンロードまたは使用するためにも利用可能であり、広く適用することができる。
【課題を解決するための手段】
【００１１】
上記目的を達成するために、本考案のベッドセット用スマート調整管理システムは、ベッドセットと、睡眠検出モジュールとを含む。ベッドセットは、複数の支持ブロックに分割され、各支持ブロックの柔軟性をそれぞれ調整するための内部コントローラが設けられている。そして、内部コントローラは、各支持ブロックの異なる柔らかさと硬さの組み合わせに従って複数の異なる調整パラメータで予め設定される。
睡眠検出モジュールは、ベッドセット上の異なる調整パラメータ状態でユーザの睡眠状態を検出し、分析ユニットに睡眠パラメータをそれぞれ出力することができる。分析ユニット信号は、睡眠検出モジュールの異なる睡眠パラメータを取得するために睡眠検出モジュールおよび内部コントローラに接続され、次に、最適な睡眠パラメータおよび対応する調整パラメータを見つけ、ユーザ専属の調整パラメータを形成し、それらを識別管理ユニットに格納する。ベッドセットの内部コントローラは、識別管理ユニットによって記憶されたユーザ専属の調整パラメータに従って各支持ブロックの柔軟性を調節することができる。
【００１２】
本考案の実施形態では、スマート調整管理システムは、筋肉/圧力検出装置をさらに備え、筋肉/圧力検出装置は、ベッドセットの複数の支持ブロックに対して複数の検出ブロックを備え、ユーザに対して少なくとも２組の適切な調整パラメータが検出され、ベッドセットの内部コントローラは少なくとも２組の調整パラメータに従って各支持ブロックの柔軟性が調整される。
【００１３】
本考案の実施形態では、分析ユニットは、ネットワークインターフェースを有する外部コントローラに構成され、外部コントローラは、分析ユニットによって分析されたユーザ専属の調整パラメータをクラウドサービスプラットフォームにアップロードすることができる。
【００１４】
また、前記分析ユニット及び前記睡眠検出モジュールは、前記内部コントローラに内蔵され、前記内部コントローラはネットワークインターフェースを備え、前記分析ユニットによって分析されたユーザ専属調節パラメータをクラウドサービスプラットフォームにアップロードすることができる。
【考案の効果】
【００１５】
従来技術と比較して、本考案は、睡眠検出モジュールを使用して、異なる調整パラメータ状態のユーザの睡眠パラメータを検出し、分析ユニットは、ユーザに適合した専属の最適調整パラメータを分析する。ベッドセットは、異なるユーザのために最も適切な状態に正確に調整できるだけでなく、旅行や異なる場所で移動するときに、特定のユーザが同じ仕様の他のベッドセットを自分の調整パラメータで最大限に素早く快適な状態を調整できるようにする。さらに、本考案は、クラウド内のビッグデータの傾向と組み合わせることができ、ベッドセット業者のオペレータは、上記異なるユーザの特定の調整パラメータを使用して、遠隔でデータ管理または統計を実行することができる。さらに、将来的には異なるユーザの調整ニーズをより正確かつ迅速に満たすことができる。そのデータ情報はユーザがダウンロードして使用することもでき、また、個人睡眠の健康管理のために、広い範囲で適用されることもできる。
【００１６】
以下、本考案の技術的手段により、本考案に適した実施形態が列挙され、その記述は以下の通りである。
【図面の簡単な説明】
【００１７】
【図１】本考案第１実施形態（１）のシステム構成の概略図である。
【図２】本考案第１実施形態のシステム構成図（２）。
【図３】本考案第２実施形態のシステム構成の概略図である。
【図４】本考案第３実施形態のシステム構成の概略図である。
【図５】本考案第４実施形態のシステム構成の概略図である。
【考案を実施するための形態】
【００１８】
図１及び図２に示すように、本考案は一種のベッドセット用スマート調整管理システムであり、ベッドセット１０は識別コード１１を有し、ベッド表面１２は人体の異なる部分に応じて複数の支持ブロック１３に分割されている。各支持ブロック１３には、少なくとも１つのエアバッグ１４が配置され、各エアバッグ１４は換気装置１５に接続され、換気装置１５は内部コントローラ１６を介して各エアバッグ１４の柔軟性を調整することができる。
さらに、内部コントローラ１６は、支持ブロック１３の異なる柔軟性の組合せに従って、複数の異なる調整パラメータ１７を予め設定する。
【００１９】
例えば、複数の支持ブロック１３は、頭部、肩首部、背部、腰部、臀部及び脚部に分けられ、各支持ブロック１３は、柔らかいの、中程度の、及び硬いの３つのモードに分けられている。
調整パラメータ１７を設定するとき、頭は柔らかく、肩と首は適度で、背は柔らかく、腰は硬く、臀部は柔らかく、脚は中程度であり、第1調整パラメータ１７を形成する。頭は中程度、肩と首は硬く、背部は柔らかく、腰は柔らかく、臀部は中程度で脚は硬く、第２調整パラメータ１７を形成するなど、複数の調整パラメータを形成する。
【００２０】
本システムは、ベッドセット１０の複数の支持ブロック１３に対して複数の検出ブロック２１を備えた筋肉/圧力検出装置２０を含むことができる。各検出ブロック２１は、筋力または圧力検出モードを使用してユーザを検出し、ベッドセット１０の内部制御のための複数調整パラメータ１７の少なくとも２つの適切な調整パラメータ１７を選択することができる。内部コントローラ１６は、少なくとも２組の調整パラメータ１７に従って各エアバッグ１４の柔軟性を調整する。実際に、筋力/圧力検出の方法は、装置を用いた検出に限定されず、睡眠中の人間の筋力/圧力を検出することができるハードウェア、ソフトウェア、または人工的なテストを実施することができる。
【００２１】
検出後、ユーザの適切な調整パラメータ１７は、第１、第４、第５のグループであり、第１グループの調整パラメータ１７が内部コントローラ１６で選択された場合、内部コントローラ１６は、複数の支持ブロック１３を柔らかい頭部、中程度の肩及び首、柔らかい背部、硬い腰部、柔らかい臀部、中程度の脚部等を有するように調節することができる。
【００２２】
ベッドセット１０が選択された少なくとも２つの調整パラメータセット１７の１つに従って調整された後、ユーザがベッドセット１０で寝るとき、ユーザが睡眠検出モジュール３０により、ユーザがベッドセット１０に寝ている睡眠状態を検出し、睡眠パラメータ３１を出力される。同様に、ベッドセット１０が、少なくとも２つの調整パラメータ１７から選択された他の調整パラメータ１７に従って調整される場合、睡眠検出モジュール３０は、対応する睡眠パラメータ３１を出力することができる。
【００２３】
睡眠検出モジュール３０が出力する睡眠パラメータ３１と、内部コントローラ１６に対応する調整パラメータ１７とは、それぞれ分析ユニット４０に送られ、分析ユニット４０は、睡眠検出モジュール３０と内部コントローラ１６に接続され、睡眠検出モジュール３０の異なる睡眠パラメータ３１を取得した後、比較分析する。最適な睡眠パラメータ３１および対応する調整パラメータ１７が見つけられ、ユーザ専属の調整パラメータ１７が形成され、識別管理ユニット４１に格納される。例えば、睡眠パラメータ３１は、脳波、呼吸、心拍、使用者の睡眠中血圧変化などの生理状態を含み、分析ユニット４０は、生理状態の変化に応じて睡眠中に深い睡眠段階に入る時間を決定することができる。深い睡眠の最長時間は最適な睡眠パラメータ３１である。
【００２４】
分析ユニット４０は、識別管理ユニット４１が記憶したユーザの専属調整パラメータ１７を有線または無線により出力した後、ベッドセット１０の内部コントローラ１６がデータを受信した後、ユーザの専属調整パラメータ１７に応じて、各支持ブロック１３の柔軟性を調整してベッドセットのスマートな調整管理の目的を達成する。
【００２５】
分析ユニット４０は、様々な実現可能な実施態様を有することができることに言及する価値がある。図１および図２に示すように、分析ユニット４０は外部コントローラ５０に構築され、スマートフォン、スマートウォッチ、タブレットなどのモバイルデバイスは、一般にデータ送信機能を備えているが、図に示すように、分析ユニット４０は、アプリケーションソフトウェア（ＡＰＰ）形式でインストールすることができ、ユーザが操作しやすいモバイルデバイスによって形成された外部コントローラ５０上に構築することができる。同時に、モバイルデバイスは、個人識別を容易にするために、文字、音声入力、指紋認識または顔認識等の個人認証によってログインした後、分析ユニット４０を操作することもできる。もちろん、外部コントローラ５０は、ワイヤ制御装置に類似するものまたは遠隔制御装置のような物理的な装置で具現することもでき、データ伝送機能を有すれば、ユーザが操作することができる。
【００２６】
図３に示されるように、分析ユニット４０が外部コントローラ５０に構築された実施形態に関連して、睡眠検出モジュール３０は、アプリケーションソフトウェア（ＡＰＰ）の形態でインストールされ、構築されてもよい。ユーザが眠ったとき、外部コントローラ５０はベッドサイドに置かれ、前述のユーザ専属の調整パラメータを分析することができる。
【００２７】
あるいは、図４に示すように、ベッドセット１０の内部コントローラ１６に分析ユニット４０と睡眠検出モジュール３０とが内蔵されており、上述したように、ユーザが最適な睡眠パラメータ３１と対応する調整パラメータ１７を見つけて、ユーザ専属の調整パラメータ１７を形成すると、同じ仕様のベッドセット１０であれば、ユーザに適合する最高の睡眠状態に迅速に調整することができる。
【００２８】
図１乃至図４の実施形態で示した実施形態では、内部コントローラ１６または外部コントローラ５０がネットワークインターフェース（図示せず）を設置する必要があるだけで、分析ユニット４０は分析されたユーザ専属の調整パラメータ１７を、クラウドサービスプラットフォーム６０にアップロードし、ベッドセット業者による管理、またはユーザが遠隔で自身専属の調整パラメータをダウンロードするために、使用されることもできる。
【００２９】
また、図５に示すように、分析ユニット４０をクラウドサービスプラットフォーム６０に構築して、ビッグデータの傾向に応じてクラウドにて分析することもできる。本実施形態は、内部コントローラ１６および睡眠検出モジュール３０に接続されたネットワークコントローラ７０をさらに含む。内部コントローラ１６の調整パラメータ１７および睡眠検出モジュール３０により検出された睡眠パラメータ３１は、ネットワークコントローラ７０を介してクラウドサービスプラットフォーム６０にアップロードされ、クラウドサービスプラットフォーム６０で分析することができる。分析ユニット４０によって分析されたユーザ専属の調整パラメータ１７はネットワークコントローラ７０を介してベッドセット１０の内部コントローラ１６に返送されて調整される。
【００３０】
上記の異なるユーザに特有の最適な調整パラメータをクラウドのビッグデータの傾向と組み合わせることができるので、ベッドセット業者は遠隔でデータ管理または統計を実行することができ、より正確かつ迅速に未来の異なるユーザの調整ニーズを満たすことができる、そのデータ情報は、個人の睡眠管理のためにユーザによってダウンロードまたは使用されることもできる。
【００３１】
実施形態および図面の上記の説明は、本考案の好ましい実施形態の単なる例示であり、本考案の範囲を限定するものではなく、本考案の作成目的およびシステムの特徴に対する類似または同一の特徴は、本考案の請求項の範囲内に属するものであり、これを宣言する。
【符号の説明】
【００３２】
１０    ベッドセット
１１    識別コード
１２    ベッド表面
１３    支持ブロック
１４    エアバッグ
１５    換気装置
１６    内部コントローラ
１７    調整パラメータ
２０    筋肉/圧力検出装置
２１    検出ブロック
３０    睡眠検出モジュール
３１    睡眠パラメータ
４０    分析ユニット
４１    識別管理ユニット
５０    外部コントローラ
６０    クラウドサービスプラットフォーム
７０    ネットワークコントローラ
【図１】
0003218551.tif 000003
【図２】
0003218551.tif 000004
【図３】
0003218551.tif 000005
【図４】
0003218551.tif 000006
【図５】
0003218551.tif 000007
【手続補正書】
【提出日】平成30年8月16日(2018.8.16)
【手続補正１】
【補正対象書類名】実用新案登録請求の範囲
【補正対象項目名】全文
【補正方法】変更
【補正の内容】
【実用新案登録請求の範囲】
【請求項１】
一種のベッドセット用スマート調整管理システムであり、ベッドセットと、睡眠検出モジュールとを含み、前記ベッドセットは、複数の支持ブロックに分割され、前記各支持ブロックの柔軟性をそれぞれ調整するための内部コントローラが設けられ、前記内部コントローラは、前記各支持ブロックの異なる柔らかさと硬さの組み合わせに従って複数の異なる調整パラメータで予め設定され、
前記睡眠検出モジュールは、前記ベッドセットの異なる調整パラメータでユーザの睡眠状態を検出し、分析ユニットに睡眠パラメータをそれぞれ出力することができ、前記分析ユニットは、前記睡眠検出モジュールの異なる睡眠パラメータを取得するために前記睡眠検出モジュールおよび前記内部コントローラに接続され、次に、最適な睡眠パラメータおよび対応する調整パラメータを見つけ、ユーザ専属の調整パラメータを形成し、それらを識別管理ユニットに格納し、前記ベッドセットの内部コントローラは、前記識別管理ユニットによって記憶されたユーザ専属の調整パラメータに従って前記各支持ブロックの柔軟性を調節することができることを特徴とする、ベッドセット用スマート調整管理システム。
【請求項２】
前記スマート調整管理システムは、筋肉/圧力検出装置をさらに備え、前記筋肉/圧力検出装置は、前記ベッドセットの複数支持ブロックに対して複数検出ブロックを備え、少なくとも２組の使用者に対して検出することができ、前記ベッドセットの内部コントローラに対して、少なくとも２組の調整パラメータに従って各支持ブロックの柔軟性を調整することを特徴とする、請求項１に記載のベッドセット用スマート調整管理システム。
【請求項３】
前記ベッドセットの各支持ブロックには少なくとも１つのエアバッグが配置されており、前記各エアバッグは内部コントローラの制御を受け得る換気装置に接続されており、内部コントローラは前記各エアバッグの飽和を制御して各支持ブロックの柔軟性を調整することができることを特徴とする、請求項１に記載のベッドセット用スマート調整管理システム。
【請求項４】
前記分析ユニットは外部コントローラ上に構築され、前記外部コントローラは前記睡眠検出モジュールおよび前記内部コントローラに接続され、前記ベッドセットの内部コントローラは前記外部コントローラの有線または無線信号コマンドを受信し、その後、前記ベッドセットの内部コントローラは、各支持ブロックの柔軟性を調整することを特徴とする、請求項１乃至請求項３のいずれかに記載のベッドセット用スマート調整管理システム。
【請求項５】
前記外部コントローラは、ネットワークインターフェースを有し、前記分析ユニットによって分析されたユーザ専属の調整パラメータをクラウドサービスプラットフォームのワイヤ制御デバイス、リモートコントローラ、またはモバイルデバイスにアップロードすることができることを特徴とする、請求項４に記載のベッドセット用スマート調整管理システム。
【請求項６】
前記睡眠検出モジュールと前記分析ユニットは同時に外部コントローラ上に構築され、前記ベッドセットの内部コントローラは前記外部コントローラの有線または無線信号コマンドを受信し、ベッドセットの内部コントローラは各支持ブロックの柔軟性を調整することを特徴とする、請求項１乃至請求項３のいずれかに記載のベッドセット用スマート調整管
理システム。
【請求項７】
前記外部コントローラは、ネットワークインターフェースを有し、前記分析ユニットによって分析されたユーザ専属の調整パラメータをクラウドサービスプラットフォームのワイヤ制御デバイス、リモートコントローラ、またはモバイルデバイスにアップロードすることができることを特徴とする、請求項６に記載のベッドセット用スマート調整管理システム。
【請求項８】
前記分析ユニットと睡眠検出モジュールは、前記内部コントローラに組み合わせ構築されていることを特徴とする、請求項１乃至請求項３のいずれかに記載のベッドセット用スマート調整管理
システム。
【請求項９】
前記内部コントローラは、ネットワークインターフェースを有し、前記分析ユニットによって分析されたユーザ専属の調整パラメータをクラウドサービスプラットフォームにアップロードすることができることを特徴とする、請求項８に記載のベッドセット用スマート調整管理システム。
【請求項１０】
前記システムは、内部コントローラおよび睡眠検出モジュールに接続されたネットワークコントローラをさらに含み、前記分析ユニットはクラウドサービスプラットフォーム上に構築され、前記内部コントローラの調整パラメータおよび睡眠検出モジュールの睡眠パラメータが検出され、前記ネットワークコントローラを介してクラウドサービスプラットフォームにアップロードすることができ、前記クラウドサービスプラットフォームの分析ユニットはユーザ専属の調整パラメータを分析してネットワークコントローラを介して調整のためにベッドセットの内部コントローラに戻すことを特徴とする、請求項１乃至請求項３のいずれかに記載のベッドセット用スマート調整管理システム。